(57)【特許請求の範囲】
【請求項１】
サッシ戸を戸先框及び召合框と，中間連結枠を介してこれら框間に回動自在に設置した仕切パネルによって折畳み可能に構成し，サッシ枠の上下枠に設置したガイドレールにサッシ戸の上記戸先框及び召合框を常時係合するとともに上記中間連結枠を該ガイドレール又はこれと平行に配置した他のガイドレールにその長手方向中間位置で係脱自在に係合することによって該中間連結枠を係合した状態のサッシ戸の引き違い開閉とその係合を解除した状態のサッシ戸の折畳み開閉の双方を自在としたサッシであって，上記サッシ枠の縦枠をガイドレール長手方向内側の内側縦枠と外側の外側縦枠とによる面内方向内外２重構造とするとともに上記内側縦枠を開放することによってサッシ戸を該内側縦枠位置から外側縦枠位置まで移動自在とし且つ上記ガイドレールに対する中間連結枠の係脱を，上記サッシ戸の引き違い閉成状態における中間連結枠の定位置からサッシ戸の上記移動に伴って縦枠側に変位した位置に配置したガイドレールの切欠き部に対して該中間連結枠を受入又は脱出することによって自在としてなることを特徴とする引き違い折畳み自在のサッシ。
【請求項２】
上記内側縦枠を，外側縦枠に対して開閉自在に配置することによってサッシ戸を外側縦枠位置まで移動自在としてなることを特徴とする請求項１に記載の引き違い折畳み開閉自在のサッシ。
【請求項３】
上記中間連結枠を係脱するガイドレールを上下枠にその対向方向に突出するように設置した突出レールとしてなることを特徴とする請求項１又は２に記載の引き違い折畳み開閉自在のサッシ。
【請求項４】
上記戸先框及び召合框を常時係合するガイドレールを上下枠に対向方向に突出設置した戸先框及び召合框の上下に係合する突出レールとし，上記中間連結枠を係脱するガイドレールをこれら上下枠を常時係合する突出レールとし，戸先框，召合框及び中間連結枠のガイドレールを共通の突出レールとしてなることを特徴とする請求項１，２又は３に記載の引き違い折畳み開閉自在のサッシ。
【請求項５】
上記上枠が上記突出レールと平行にして戸先框及び召合框の上端に上方に向けて突出設置した吊り部材を案内する吊り部材用レールを追加的に備えることによってサッシ戸を上枠に上吊り支持して上吊りサッシとして構成してなることを特徴とする請求項４に記載の引き違い折畳み開閉自在のサッシ。
【請求項６】
サッシ枠の上記内側縦枠，上枠及び下枠とサッシ戸との間に気密手段を配置してなることを特徴とする請求項１，２，３，４又は５に記載の引き違い折畳み開閉自在のサッシ。
【発明の詳細な説明】
【０００１】
【発明の属する技術分野】
本発明は，引き違い開閉及び折畳み開閉の双方を選択的になし得るようにした引き違い折畳み開閉自在のサッシに関する。
【０００２】
【従来の技術及び発明が解決しようとする課題】
本発明者は，特願２０００−９１３７６号によって，サッシ戸を戸先框及び召合框と，中間連結枠を介してこれら框間に回動自在に設置した仕切パネルによって折畳み可能に構成し，サッシ枠の上下枠に設置したガイドレールにサッシ戸の上記戸先框及び召合框を常時係合するとともに上記中間連結枠を該ガイドレールにその長手方向中間位置で係脱自在に係合することによって該中間連結枠を係合した状態のサッシ戸の引き違い開閉とその係合を解除した状態のサッシ戸の折畳み開閉の双方を自在としたサッシを提案済みである。
【０００３】
そしてこのとき上記中間連結枠のガイドレールに対する係脱は，その実施形態によれば，例えば中間連結枠に設置したクレモンボルトとレバーハンドル等の施錠装置を用い，施錠装置を操作して中間連結枠の室内側に設置したL字状をなすスライダーをガイドレールに対して上下動させることによって行なうようにしてある。
【０００４】
この場合，引き違い開閉と折畳み開閉の２種類の開閉を選択的になし得るようにすることができ，引き違いサッシとしての気密性等のサッシ性能を確保するとともにサッシ戸を折畳み開成することによって窓開口を全開するフルオープンのサッシとして使用することが可能となるが，上記施錠装置の操作によって中間連結枠のガイドレールに対する係脱を行なうようにすると，中間連結枠の係脱手段が機構的に複雑化する傾向を生じるという問題点を残している。
【０００５】
本発明はかかる事情に鑑みてなされたもので，その解決課題とするところは，気密性等のサッシ性能を確保可能としながら，中間連結枠の係脱を可及的に簡易な構造によって確実になし得るようにした引き違い折畳み開閉自在のサッシを提供するにある。
【０００６】
【課題を解決するための手段】
上記課題に沿って本発明は，サッシ枠の縦枠を面内方向（開口部幅方向といってもよい）に内外２重構造とするとともにその内側の縦枠を開放することによって，該内側の縦枠位置を通過してサッシ戸を外側の縦枠まで移動し得るようにし，サッシ戸が移動した状態の中間連結枠位置に対応してガイドレールに係脱用の切欠き部を配置し，該切欠き部において中間連結枠の係脱を行なうようにすることによって，中間連結枠の係脱を簡易な構造によって確実になし得るようにし，引き違い状態で切欠き部と中間連結枠とを中間連結枠が到達し得ない位置に変位して設置することによって，サッシ戸が誤って折畳まれるといった誤動作の可能性を解消する一方，内側の縦枠を戸当り縦枠としてサッシ戸の引き違い状態でその戸先框との間で気密性を確保し得るようにし，また中間連結枠の係脱をサッシ戸の引き違い閉成における中間連結枠の定位置と変位して縦枠側に寄った位置で行なうことによってサッシ戸の引き違い状態で中間連結枠が常時ガイドレールに係合した状態に保持しサッシ戸が揺動したりすることなくガイドレールとの間で気密性を確保し得るようにしたものであって，即ち請求項１に記載に発明を，サッシ戸を戸先框及び召合框と，中間連結枠を介してこれら框間に回動自在に設置した仕切パネルによって折畳み可能に構成し，サッシ枠の上下枠に設置したガイドレールにサッシ戸の上記戸先框及び召合框を常時係合するとともに上記中間連結枠を該ガイドレール又はこれと平行に配置した他のガイドレールにその長手方向中間位置で係脱自在に係合することによって該中間連結枠を係合した状態のサッシ戸の引き違い開閉とその係合を解除した状態のサッシ戸の折畳み開閉の双方を自在としたサッシであって，上記サッシ枠の縦枠をガイドレール長手方向内側の内側縦枠と外側の外側縦枠とによる面内方向内外２重構造とするとともに上記内側縦枠を開放することによってサッシ戸を該内側縦枠位置から外側縦枠位置まで移動自在とし且つ上記ガイドレールに対する中間連結枠の係脱を，上記サッシ戸の引き違い閉成状態における中間連結枠の定位置からサッシ戸の上記移動に伴って縦枠側に変位した位置に配置したガイドレールの切欠き部に対して該中間連結枠を受入又は脱出することによって自在としてなることを特徴とする引き違い折畳み自在のサッシとしたものである。
【０００７】
請求項２に記載の発明は，上記に加えて，サッシ戸の引き違いと折畳み開閉の切り替えを簡易な操作によってなし得るように，上記面内方向内外２重構造の縦枠における内側縦枠の開放を，サッシ枠に内側縦枠を開閉する形態のものとするように，これを，上記内側縦枠を，外側縦枠に対して開閉自在に配置することによってサッシ戸を外側縦枠位置まで移動自在としてなることを特徴とする請求項１に記載の引き違い折畳み開閉自在のサッシとしたものである。
【０００８】
請求項３に記載の発明は，同じく上記に加えて，サッシ枠とサッシ戸の関係を可及的に一般の引き違いサッシと同様に突出レールを用いて構成することによって，引き違いサッシに用いられる気密手段の適用を可能とし，サッシの気密性確保を容易になし得るものとするように，これを，上記中間連結枠を係脱するガイドレールを上下枠にその対向方向に突出するように設置した突出レールとしてなることを特徴とする請求項１又は２に記載の引き違い折畳み開閉自在のサッシとしたものである。
【０００９】
請求項４に記載の発明は，同じく上記に加えて，上記突出レールを用いたときに好ましい形態のものとし得るように，これを，上記戸先框及び召合框を常時係合するガイドレールを上下枠に対向方向に突出設置した戸先框及び召合框の上下に係合する突出レールとし，上記中間連結枠を係脱するガイドレールをこれら上下枠を常時係合する突出レールとし，戸先框，召合框及び中間連結枠のガイドレールを共通の突出レールとしてなることを特徴とする請求項１，２又は３に記載の引き違い折畳み開閉自在のサッシとしたものである。
【００１０】
請求項５に記載の発明は，同じく上記に加えて，サッシ戸をサッシ枠に上吊りの好ましい形態とすることによって，サッシ戸の折畳み開閉を可及的安定且つ確実になし得るように，これを，上記上枠が上記突出レールと平行にして戸先框及び召合框の上端に上方に向けて突出設置した吊り部材を案内する吊り部材用レールを追加的に備えることによってサッシ戸を上枠に上吊り支持して上吊りサッシとして構成してなることを特徴とする請求項４に記載の引き違い折畳み開閉自在のサッシとしたものである。
【００１１】
請求項６に記載の発明は，同じく上記に加えて，サッシ枠とサッシ戸との間に気密手段を配置してサッシの気密性を確保したものをするように，これを，サッシ枠の上記内側縦枠，上枠及び下枠とサッシ戸との間に気密手段を配置してなることを特徴とする請求項１，２，３，４又は５に記載の引き違い折畳み開閉自在のサッシとしたものである。
【００１２】
本発明はこれらをそれぞれ発明の要旨として上記課題解決の手段としたものである。
【００１３】
【発明の実施の形態】
以下図面の例に従って本発明を更に具体的に説明すれば，Ａは引き違い折畳み開閉自在のサッシであり，該サッシＡは，サッシ戸１０を戸先框１１及び召合框１２と，中間連結枠１４を介してこれら框１１，１２間に回動自在に設置した仕切パネル１３によって折畳み可能に構成し，サッシ枠２０の上下枠２１，２３に設置したガイドレール２４にサッシ戸１０の上記戸先框１１及び召合框１２を常時係合するとともに上記中間連結枠１４を該ガイドレール２４又はこれと平行に配置した他のガイドレールにその長手方向中間位置で係脱自在に係合することによって該中間連結枠１４を係合した状態のサッシ戸１０の引き違い開閉とその係合を解除した状態のサッシ戸１０の折畳み開閉の双方を自在としたものとしてあり，本例にあって該サッシＡは，これをサッシ枠２０に２枚のサッシ戸１０を引き違い開閉自在に配置して，各サッシ戸１０を上記折畳み開閉可能とするように構成した，例えばアルミ製又はアルミと樹脂，木材等の複合材料製の肘掛窓乃至テラス窓用サッシとして構成したものとしてある。
【００１４】
本例にあってサッシ戸１０は，戸先框１１，召合框１２，同幅複数，例えば同幅２枚の仕切パネル１３，及び中間連結枠１４とを備え，戸先框１１と召合框１２を幅方向両端に配置し，これらの間に仕切パネル１３を回動自在にヒンジ１６連結するとともに該仕切パネル１３間に中間連結枠１４を同じく回動自在にヒンジ１６連結して構成するとともに上記２枚のサッシ戸１０の高さを室外側で高く，室内側でやや低くして構成してあり，該サッシ戸１０をサッシ枠２０に装着し，戸先框１１，召合框１２及び中間連結枠１４を各サッシ戸１０用のガイドレール２４に係合することによって，サッシ戸１０を伸張した単一の引戸として，その引き違い開閉を可能とし，また戸先框１１及び召合框１２をガイドレール２４に係合する一方，中間連結枠１４の係合を解除することによって，該中間連結枠１４をガイドレール２４交差方向に脱出させ，サッシ戸１０を戸先框１１及び召合框１２を基準として室外側又は室内側にＶ字状の折畳み開閉を可能とするようにしてあり，このとき本例の上記ヒンジ１６連結は，これを，戸先框１１，召合框１２，仕切パネル１３及び中間連結枠１４の連結端部に一体又は一体的に設置した一方の軸受，他方の軸とをそれぞれ１／４円回動自在に嵌合して形成した，連結端部長手方向，即ち上下方向に全長とした，例えばアルミ押出材等によるアルミ等の全面ヒンジによるものとし，これによりヒンジ１６連結を行いながらも，該ヒンジ１６部分の気密性を高度に確保して，サッシ戸１０を高気密のものとしてある。
【００１５】
サッシ枠２０は，上枠２１，下枠２３，左右の縦枠２７を枠組みして矩形の開口を形成し，上枠２１及び下枠２３に各サッシ戸１０用にその引き違い開閉に必要な内外複数，例えば内外２条のガイドレール２４を配置し，各サッシ戸１０の戸先框１１，召合框１２及び中間連結枠１４を係合することにより，サッシ戸１０の引き違い開閉の案内を可能とするとともに上記中間連結枠１４の係合を解除することによりサッシ戸１０の折畳み開閉を可能とするようにしてあり，このとき本例の上枠２１及び下枠２３のガイドレール２４は，これを上下枠２１，２３にその対向方向に突出するように設置した突出レールとするとともに，該突出レールは，これを，戸先框１１，召合框１２及び中間連結枠１４に共通の突出レールとし，上記戸先框１１及び召合框１２を常時係合するとともに中間連結枠１４を係脱するガイドレールとしてあり，このとき上記上枠２１は，該突出レール２４と平行にして戸先框１１及び召合框１２の上端に上方に向けて突出設置した吊り部材１７，本例にあっては吊りローラーを案内する吊り部材用レール２２を更に備えることによってサッシ戸１０を上枠２１に上吊り支持して上吊りサッシとして構成したものとしてあり，本例においてこれらレール２２，２４は，下向きコ字状に形成した上枠２１の内側上方に浅溝状水平にして内外一対の吊り部材用レール２２を，室外側を高く，室内側をやや低くした内外段差状に配置し，該吊り部材用レール２２の下方にフィン状下向き突出にして同じく内外一対の突出レール２４を，同様に内外段差状にして上記吊り部材用レール２２と平行且つ同長に配置する一方，室外側から室内側に向けて上向きの階段状に形成した下枠２３の各水平部に上記上枠２１の突出レール２４と内外方向同一位置にフィン状上向き突出にして内外一対の突出レール２４を，室外側を低く，室内側をやや高くした内外段差状に配置したものとしてある。
【００１６】
また上記サッシ枠２０の縦枠２７は，これをガイドレール２４長手方向内側の内側縦枠２８と外側の外側縦枠２９とによる面内方向内外２重構造とするとともに上記内側縦枠２８を開放することによってサッシ戸１０を該内側縦枠２８位置から外側縦枠２９位置まで移動自在とし且つ上記ガイドレール２４に対する中間連結枠１４の係脱を，上記サッシ戸１０の引き違い閉成状態における中間連結枠１４の定位置からサッシ戸１０の上記移動に伴って縦枠２７側に変位した位置に配置したガイドレール２４の切欠き部２５に対して該中間連結枠１４を受入又は脱出することによって自在としたものとしてあり，このとき本例の上記内側縦枠２８は，これを，外側縦枠２９に対して開閉自在に配置することによってサッシ戸１０を外側縦枠２９位置まで移動自在としたものとしてある。
【００１７】
本例にあって左右の縦枠２７をそれぞれ面内方向内外２重構造とし，内側縦枠２８を開放することによって引き違い配置のサッシ戸１０をそれぞれ外側縦枠２９位置まで移動自在とし，各サッシ戸１０の中間連結枠１４の係脱を上記内外複数のガイドレール２４に配置した左右の各縦枠２７側に変位した位置の切欠き部２５において行なうようにするとともに内側縦枠２８を配置することによって該内側縦枠２８間を上記サッシ戸１０の引き違い開閉領域として，該内側縦枠２８間でサッシ戸１０を幅方向にスライドして，その引き違い開閉をなし得るようにしてある。
【００１８】
このとき外側縦枠２９は，その長手方向上下端に上枠２１及び下枠２３の長手方向左右端を架設固定することによって上記サッシ枠２０を枠組みするサッシ枠２０の枠組み用とする一方，内側縦枠２８は，これを配置することによりサッシ戸１０の戸当り縦枠とし，サッシ戸１０の閉成状態，即ち引き違い開閉の状態で該サッシ戸１０の戸先框１１との間で気密性を確保可能としてある。
【００１９】
本例の内側縦枠２８は，上記外側縦枠２９にヒンジ３０連結することによって上記開閉自在としてあり，本例にあって該ヒンジ３０連結は，サッシ戸１０の折畳み開閉方向と逆の外側縦枠２９の室内外一側片側において内側縦枠２８を，例えばドア状の開閉を行なうように回動自在に行なってあり，このとき上記ヒンジ３０連結は，上記サッシ戸１０におけると同様に長手方向全長にして一体又は一体的な軸受と軸の回動自在の嵌合によるアルミ等の全面ヒンジによって行い，該内外２重構造の縦枠２７の気密性を確保するようにしてあり，本例にあって該内側縦枠２８のヒンジ３０連結は，これを室内側において行い，内側縦枠２８の開閉を外側縦枠２９に対して１／４円の角度で行なうようにしてある。
【００２０】
一方上記ガイドレール２４，本例にあっては突出レールの切欠き部２５は，該内側縦枠２８を開放，本例にあっては上記ヒンジ３０で開成することによってサッシ戸１０が外側縦枠２９位置に移動する移動幅に応じた幅を，上記中間連結枠１４の定位置から縦枠２７側に移動するように変位した上枠２１及び下枠２３のガイドレール２４，本例にあっては突出レールの位置で，これを部分的に欠如するように切り欠くことによって配置し，該切欠き部２５において中間連結枠１４を係脱するようにしてあり，該係脱は，本例にあって中間連結枠１４，例えばその中空部の上下端に嵌着することによって設置したガイドレール係合用のガイド部材１５，例えば樹脂製のスラシを室内外一方に出入自在とし，その上記受入又は脱出を行なうようにしてある。
【００２１】
図中１８は召合框１２間の施錠用クレセント，１９は各サッシ戸１０の開閉用把手，２６は，サッシ枠２０の上枠２１に左右に分離配置しサッシ戸１０の折畳み開閉を妨げないように該サッシ戸１０の上記外側縦枠２９への移動に連動し，例えばリンク機構によって傾斜上昇し且つサッシ戸１０の復帰に連動して反対方向に傾斜下降するようにした上枠２１における水密性確保用の昇降カバー，３１はサッシ枠２０の上記内側縦枠２８，上枠２１及び下枠２３とサッシ戸１０との間に配置した気密手段を示す。
【００２２】
このようにサッシ戸１０とサッシ枠２０を構成することによって，サッシ戸１０の上記戸先框１１と召合框１２の上記吊りローラーによる吊り部材１７を吊り部材用レール２２に載置することによって該吊り部材用レール２２による吊り部材１７をその長手方向に案内するようにサッシ戸１０を上枠２１に上吊り支持するとともに上記戸先框１１，召合框１２及び中間連結枠１４の上下端を，例えばこれらに設置した上記中間連結枠１４と同様のスラシを介して上記上下枠２１，２３のガイドレール２４，本例にあっては突出レールに係合するように，サッシ戸１０をサッシ枠２０に引き違い配置して上記サッシＡを構成するようにしてある。
【００２３】
本例のサッシＡは，引き違い開閉と折畳み開閉の２種類の開閉を選択的に可能とし，窓開口全開のフルオープンを可能とするとともに，サッシ枠２０の縦枠２７を面内方向に内外２重構造とするとともにその内側縦枠２８を開放することによって，該内側縦枠２８位置を通過してサッシ戸１０を外側縦枠２９位置まで移動し得るようにし，サッシ戸１０が移動した状態の中間連結枠１４位置に対応してガイドレール２４に係脱用の切欠き部２５を配置し，該切欠き部２５において中間連結枠１４の係脱を行なうようにすることによって，中間連結枠１４の係脱を簡易な構造によって確実になし得るようにし，引き違い状態で切欠き部２５と中間連結枠１４とを中間連結枠１４が到達し得ない位置にずらして設置することによって，サッシ戸１０が誤って折畳まれるといった誤動作の可能性を解消する一方，内側縦枠２８を戸当り縦枠としてサッシ戸１０の引き違い状態でその戸先框１１との間で気密性を確保し得るようにし，また中間連結枠１４の係脱をサッシ戸１０の引き違い閉成における中間連結枠１４の定位置と変位して縦枠２７側に寄った位置で行なうことによってサッシ戸１０の引き違い状態で中間連結枠１４が常時ガイドレール２４に係合した状態に保持しサッシ戸１０が揺動したりすることなくガイドレール２４との間で気密性を確保し得るようにすることができ，内側縦枠２８を外側縦枠２９に開閉自在に配置したことによって，サッシ戸１０の引き違いと折畳み開閉の切り替えを簡易な操作によってできるようにし，サッシ枠２０とサッシ戸１０の関係を可及的に一般の引き違いサッシと同様に突出レールを用いて構成することによって，引き違いサッシに用いられる気密手段の適用を可能とし，サッシの気密性確保を容易になし得るものとすることができ，突出レールを戸先框１１，召合框１２及び中間連結枠１４に共通としたことによって，これらの係合を可及的に簡単にして気密性を確保し易い形態とすることができ，またサッシＡを上吊りサッシとすることによって，サッシ戸１０の折畳み開閉を可及的安定且つ確実に行なうものとすることができる。
【００２４】
図示した例は以上のとおりとしたが，面内方向に内外２重構造の縦枠における内側縦枠をサッシ枠，例えばその外側縦枠，上下枠に対して着脱自在に設置することによって，これを取り外して開放し，取り付けることによって上記戸当り縦枠とするようにすること，内側縦枠を上記開閉するものとするとき，例えば外側縦枠に対して折畳み収納するシャッター状のものとすることにより，収納して開放し，引き出して上記戸当り縦枠とするように構成すること，上記全面ヒンジを使用して内側縦枠を開閉するとき，該全面ヒンジを２連に配置して１／２円の回動を可能とすること，中間連結枠の係脱を，例えば溝レールの内外一方のフィンに形成した部分的な切欠き部において上記と同様にこれを受入又は脱出することによって行なうようにすること等を含めて，本発明の実施に当って，サッシ戸，その戸先框，召合框，仕切パネル，中間連結枠，サッシ枠，その上枠，下枠，ガイドレール，該ガイドレールと上記戸先框，召合框，中間連結枠との係合及び中間連結枠の係合解除，縦枠，外側縦枠，内側縦枠，その開放手段，必要に応じて用いる突出レール，上吊り部材用レール，気密手段等の各具体的構造，形状，材質，数，寸法，これらの関係，これらに対する付加等は，上記発明の要旨に反しない限り様々な形態のものとすることができる。
【００２５】
【発明の効果】
本発明は以上のとおりに構成したから，請求項１に記載の発明は，サッシ枠の縦枠を面内方向に内外２重構造とするとともにその内側縦枠を開放することによって，該内側縦枠位置を通過してサッシ戸を外側縦枠まで移動し得るようにし，サッシ戸が移動した状態の中間連結枠位置に対応してガイドレールに係脱用の切欠き部を配置し，該切欠き部において中間連結枠の係脱を行なうようにすることによって，中間連結枠の係脱を簡易な構造によって確実になし得るようにし，引き違い状態で切欠き部と中間連結枠とを中間連結枠が到達し得ない位置に変位して設置することによって，サッシ戸が誤って折畳まれるといった誤動作の可能性を解消する一方，内側縦枠を戸当り縦枠としてサッシ戸の引き違い状態でその戸先框との間で気密性を確保し得るようにし，また中間連結枠の係脱をサッシ戸の引き違い閉成における中間連結枠の定位置と変位して縦枠側に寄った位置で行なうことによってサッシ戸の引き違い状態で中間連結枠が常時ガイドレールに係合した状態に保持しサッシ戸が揺動したりすることなくガイドレールとの間で気密性を確保し得るようにして，気密性等のサッシ性能を確保可能としながら，中間連結枠の係脱を可及的に簡易な構造によって確実になし得るようにした引き違い折畳み開閉自在のサッシを提供することができる。
【００２６】
請求項２に記載の発明は，上記に加えて，内側縦枠を外側縦枠に開閉自在に配置したことによって，サッシ戸の引き違いと折畳み開閉の切り替えを簡易な操作によってできるようにし，サッシ枠とサッシ戸の関係を可及的に一般の引き違いサッシと同様に突出レールを用いて構成することによって，引き違いサッシに用いられる気密手段の適用を可能とし，サッシの気密性確保を容易になし得るものとすることができる。
【００２７】
請求項３に記載の発明は，同じく上記に加えて，サッシ枠とサッシ戸の関係を可及的に一般の引き違いサッシと同様に突出レールを用いて構成することによって，引き違いサッシに用いられる気密手段の適用を可能とし，サッシの気密性確保を容易になし得るものとすることができる。
【００２８】
請求項４に記載の発明は，同じく上記に加えて，突出レールを戸先框，召合框及び中間連結枠に共通としたことによって，これらの係合を可及的に簡単にして気密性を確保し易い形態のものとすることができる。
【００２９】
請求項５に記載の発明は，同じく上記に加えて，サッシを上吊りサッシとすることによって，サッシ戸の折畳み開閉を可及的安定且つ確実に行なうものとすることができる。
【００３０】
請求項６に記載の発明は，同じく上記に加えて，サッシ枠とサッシ戸との間に気密手段を配置してサッシの気密性を確保したものとすることができる。
【図面の簡単な説明】
【図１】サッシの背面図である。
【図２】サッシ戸を閉成した状態の横断面図である。
【図３】サッシ戸を引き違い開成した状態の横断面図である。
【図４】サッシ戸を折畳み開成した状態の拡大横断面図である。
【図５】サッシ戸の中間連結枠とガイドレールの切欠き部の関係を示すサッシの部分拡大横断面図である。
【図６】サッシ戸の戸先框又は召合框とガイドレールとの関係を示すサッシの縦断面図である。
【図７】サッシ戸の中間連結枠とガイドレールとの関係を示すサッシの縦断面図である。
【図８】サッシ戸の仕切パネルとガイドレールとの関係を示すサッシの縦断面図である。
【図９】ガイドレールの切欠き部における中間連結枠との関係を示す部分縦断面図である。
【符号の説明】
Ａ  サッシ
１０  サッシ戸
１１  戸先框
１２  召合框
１３  仕切パネル
１４  中間連結枠
１７  吊り部材
２０  サッシ枠
２１  上枠
２２  吊り部材用レール
２３  下枠
２４  ガイドレール
２５  切欠き部
２７  縦枠
２８  内側縦枠
２９  外側縦枠
【図１】
0004689880.tif 000002
【図２】
0004689880.tif 000003
【図３】
0004689880.tif 000004
【図４】
0004689880.tif 000005
【図５】
0004689880.tif 000006
【図６】
0004689880.tif 000007
【図７】
0004689880.tif 000008
【図８】
0004689880.tif 000009
【図９】
0004689880.tif 000010